(57)【特許請求の範囲】
【請求項１】
フード部を有する外部カバーを壁に固定させるとき該壁に隣接する縦リブと、
前記縦リブに形成されて該縦リブの側面及び該側面近傍の壁に沿って流下する水を下方に且つ当該縦リブ側面の壁側端部から当該縦リブの前面に向けて案内する水案内部と、
前記縦リブに設けられ水案内部の下方に案内されて壁から離隔して流下又は滴下した水を更に壁から離隔する方向に案内する水切部と、
を有することを特徴とする排気フード。
【請求項２】
前記水案内部は、前記縦リブの側面に於ける壁側の端部から前記縦リブの前面にかけて下降する第１の傾斜面を備え、該第１の傾斜面は、上端を前記縦リブ側面の壁側の端部に一致させると共に幅寸法を小さく形成され、且つ、下端を前記前面よりも突出させると共に幅寸法を前記上端よりも大きく形成されている
ことを特徴とする請求項１に記載の排気フード。
【請求項３】
前記縦リブの側面には、前記上部水案内部の第１の傾斜面の幅寸法の増加に対応させて凹状にくぼむ窪み面が形成されている
ことを特徴とする請求項２に記載の排気フード。
【請求項４】
前記第１の傾斜面は、前記縦リブの側面から僅かに突出して設けられていることを特徴とする請求項２又は請求項３に記載の排気フード。
【請求項５】
前記水案内部は、前記第１の傾斜面に接続される縦リブの前面に形成されて上端から下端に向けて下降する第２の傾斜面を備え、該第２の傾斜面は、上端を前記第１の傾斜面の下端部位と略一致させ、下端を前記フード部の側部であって該フード部から所定寸法離隔した位置に形成させた状態で形成されている
ことを特徴とする請求項２乃至請求項４のいずれかに記載の排気フード。
【請求項６】
前記水案内部は、前記縦リブの長手方向に複数形成されている
ことを特徴とする請求項１乃至請求項５のいずれかに記載の排気フード。
【請求項７】
排気フードの外部カバーが壁に固定されたとき該壁に対向する面板を有する排気フードであって、
前記面板の室内側の面に於ける下方に形成され壁を伝わり該壁とリブとの間に浸入した水を集め受け且つ水勾配を持った水受板と、
当該水勾配の最下端となる位置に開口されて前記水受板を流下してくる水を面板の表側に導く穴と、
前記穴よりも下方に形成されて該水受板から流下又は滴下した水を壁から離隔する方向に案内する水切部と、
を備え、
前記水受板は、弾力性を有し且つ水の流通を阻止し得る材料である独立発泡、或いは半独立発泡させた発泡体により形成されている
ことを特徴とする排気フード。
【請求項８】
前記水受板は、前記面板の裏面に形成されるガイド突起に成形された状態で接着されている
ことを特徴とする請求項７に記載の排気フード。
【発明の詳細な説明】
【０００１】
【発明の属する技術分野】
本発明は、住宅等の建物の外壁に取り付ける排気フードに関し、特に、雨水等によって下側の壁面に発生する汚れを防止することが出来る排気フードに関するものである。
【０００２】
【従来の技術】
住宅やオフィス等の建物では、室内の換気をはかるために各室毎に１又は複数の換気フードが配置され、夫々外壁に取り付けられているのが一般的である。これらの換気フードにはファンを有する強制換気をはかるもの、或いは開閉可能なルーバーを有する自然換気をはかるもの等がある。
【０００３】
上記の如き換気フードは一般に、外壁を貫通して室内と室外とを導通する導通部と、外壁の室外側に配置され雨水等が前記導通部を通って室内に浸入することを防止する外部カバー部とを有して構成されている。前記導通部と外部カバーは一体的に形成されるものもあり、また別体に形成されるものもある。いずれにしても、建物に取り付けられたときには導通部と外部カバー部は一体化される。
【０００４】
代表的な排気フードの例について図７により説明する。図に於いて、排気フード51は本体部52と外部カバー部53とからなり、本体部52は外壁54を貫通して形成された孔54ａに挿通されて外壁54に固定され、外部カバー部53は本体部52の外部に配置されて外壁54に取り付けられる。外部カバー53の外周部位には適度な厚さを持ったリブ53ａが形成され、該リブ53ａを介してビスにより固定される。また外部カバー部53の下端には水切部53ｂが形成されるのが一般的である。
【０００５】
このような換気フード51では、外部カバー部53の前面に降りかけた雨水は該外部カバー部53に沿って流下し、下端部分から滴となって滴下する。また外壁54に隣接する外部カバー53に降りかけた雨水は該外部カバー53のリブ53ａに沿って下端部分まで流下した後、該リブ53ａの下端から滴下することなく外壁54に付着して伝わり、該外壁54に沿って流下する。また外壁54に降りかけた雨水は該外壁54に沿って流下して外部カバー53の内部に浸入し、更に外壁54に沿って流下して外部カバー53の内部側から外壁54に沿って流下する。
【０００６】
【発明が解決しようとする課題】
上記排気フードの外部カバーの表面には大気中を浮遊したホコリや粉塵等が付着しており、雨天の際にはこれらのホコリや粉塵等が雨水によって洗い流されることとなる。即ち、外部カバーに降りかけた雨水は汚れを含んでおり、この雨水が外壁面に伝って流下する際に該外壁面を汚染するという問題が生じている。この汚染は図８に示すように、排気フード51の外部カバー53に形成されたリブ53ａに沿って発生する汚れ55と、外部カバー53の下端部分に沿ってリブ53ａの間に発生する汚れ56とがある。
【０００７】
汚れ55は外部カバー53の両側端部に沿って流下した雨水が外壁54を伝わって流下することで発生するものであり、この汚れ55を防止し得るように構成した排気フードはなく、このような排気フードを開発することが望まれているのが現状である。
【０００８】
汚れ56は外壁54を流下した雨水が該外壁54と外部カバー53との間隙を通って外部カバー53の内部に浸入した後、更に外壁54を伝って流下した際に発生するものである。前記汚れ56は外壁と外部カバーとの接触部分にシーリングを施すことで対応することが可能である。しかし、この場合、シーリングを施すための工期がかかり、且つシーリングの一部が外部カバーからはみ出して外観性能を低下させるという問題を派生する。
【０００９】
本発明の目的は、外部カバーの左右両側の汚れや、外部カバーの下端部分に沿った汚れが発生することを防止した排気フードを提供することにある。
【００１０】
【課題を解決するための手段】
上記課題を解決するために本件発明者等は種々の実験を試みた。この結果、降雨量が充分に多く外部カバーの表面に付着した汚染物質を洗い流せる程度であれば外壁の汚れは発生しないこと、外部カバーの外壁から充分に離隔した位置に降りかけた雨水は外壁の汚染には寄与しないこと、外壁に隣接する縦リブに降りかけた雨水は外壁に伝わり易く該縦リブの下端に達して滴になっても表面張力によって外壁に伝わってしまうため縦リブに沿って流下する際に外壁から離隔する方向に案内することで外壁への伝わりを遮断し得ること、壁と縦リブとの間から外部カバーの内部に浸入し或いは露点に達して外部カバーの内部で発生した滴を壁から剥離させるように案内することで外壁への伝わりを遮断し得ること、等が判明した。
【００１１】
即ち、外部カバーの表面に降りかけた雨水或いは外部カバーの内部に入り込んだ雨水等が壁に伝わることのないように、外壁から離隔する方向に案内して流下させることで、外壁に発生する汚れを防止することが出来る。
【００１２】
従って、本発明に係る排気フードは、フード部を有する外部カバーを壁に固定させるとき該壁に隣接する縦リブと、前記縦リブに形成されて該縦リブの側面及び該側面近傍の壁に沿って流下する水を下方に且つ当該縦リブ側面の壁側端部から当該縦リブの前面に向けて案内する水案内部と、前記縦リブに設けられ水案内部の下方に案内されて壁から離隔して流下又は滴下した水を更に壁から離隔する方向に案内する水切部と、を有して構成されるものである。
【００１３】
上記排気フードに於いて、前記水案内部は、前記縦リブの側面に於ける壁側の端部から前記縦リブの前面にかけて下降する第１の傾斜面を備え、該第１の傾斜面は、上端を前記縦リブ側面の壁側の端部に一致させると共に幅寸法を小さく形成され、且つ、下端を前記前面よりも突出させると共に幅寸法を前記上端よりも大きく形成されていることが好ましく、前記縦リブの側面には、前記上部水案内部の第１の傾斜面の幅寸法の増加に対応させて凹状にくぼむ窪み面が形成されていることがより好ましい。
【００１４】
上記何れかの排気フードに於いて、前記第１の傾斜面は、前記縦リブの側面から僅かに突出して設けられていることが好ましい。
【００１５】
また、上記何れかの排気フードに於いて、前記水案内部は、前記第１の傾斜面に接続される縦リブの前面に形成されて上端から下端に向けて下降する第２の傾斜面を備え、該第２の傾斜面は、上端を前記第１の傾斜面の下端部位と略一致させ、下端を前記フード部の側部であって該フード部から所定寸法離隔した位置に形成させた状態で形成されていることが好ましい。
【００１６】
また上記何れかの排気フードに於いて、前記水案内部は、前記縦リブの長手方向に複数形成されていることが好ましい。
【００１７】
上記排気フードでは、縦リブに水案内部を形成したので、縦リブに沿って流下する水を壁から離隔する方向に案内することが出来る。このため、雨水が外壁に伝わることがなく、外部カバーの汚れを壁に伝えることがない。また水案内部によって壁から離隔する方向に案内された水は水切部によって更に壁から離隔する方向に案内されるため、該水切部の下端部分から滴下することが出来る。
【００１８】
従って、外部カバーに降りかけた水は、水案内部及び水切部によって壁から離隔する方向に案内されて流下或いは滴下するため、外壁に伝わることがなく、壁を汚染することがない。
【００１９】
また他の発明に係る排気フードは、排気フードの外部カバーが壁に固定されたとき該壁に対向する面板を有する排気フードであって、前記面板の室内側の面に於ける下方に形成され壁を伝わり該壁とリブとの間に浸入した水を集め受け且つ水勾配を持った水受板と、当該水勾配の最下端となる位置に開口されて前記水受板を流下してくる水を面板の表側に導く穴と、前記穴よりも下方に形成されて該水受板から流下又は滴下した水を壁から離隔する方向に案内する水切部と、を備え、前記水受板は、弾力性を有し且つ水の流通を阻止し得る材料である独立発泡、或いは半独立発泡させた発泡体により形成されているものである。
【００２０】
上記排気フードに於いて、前記水受板は、前記面板の裏面に形成されるガイド突起に成形された状態で接着されていることが好ましい。
【００２１】
上記排気フードでは、壁を伝わって壁とリブの間に浸入した水や外部カバーの内部が露点に達することで発生した水が壁に沿って流下した場合、これらの水は面板に形成された筒部よりも下方に設けられた水受板によってせき止められ、該水受板に沿って水勾配に従って流下して水切部に流下又は滴下する。この水切部が流下した水を壁から離隔する方向に案内するため、水受板から流下又は滴下した水は壁から離隔して該水切部の下端から滴下することとなり、外壁に伝わることがなく、従って、壁を汚染することがない。
【００２２】
【発明の実施の形態】
以下、上記排気フードの好ましい実施形態について図を用いて説明する。図１は排気フードの構成を説明する正面図である。図２は排気フードの構成を説明する断面図である。図３は縦リブに形成した水案内部の構成を説明する図である。図４は水案内部に案内されて流下する水の状態を説明する図である。図５は排気フードを壁に取り付けたときの水受板を説明する図である。図６は水受板による水の流れを説明する図である。
【００２３】
図に示す排気フードは、外部カバーとなるフードＡと胴部Ｂとからなり、両者の外周部分の一部を重ね合わせた状態で建物の外壁Ｃに固定することで、屋内と屋外との通気をはかり且つ屋内の空気を強制的に或いは自然に排気し得るように構成したものである。
【００２４】
特に、本実施例に係る排気フードは雨天の際にフードＡに降りかかった雨水を該フードＡの左右方向の端部に於いて特定の方向に流下させると共にフードＡの下端から胴部Ｂの下端に流して流下或いは滴下させることで、フードＡの汚れの影響を受けた雨水を外壁Ｃに伝えることなく、フードＡの左右方向の端部に沿って外壁Ｃに発生する汚れを防止し、更に、フードＡと外壁Ｃの間に浸入した雨水を該外壁Ｃから剥離させてフードＡの下端から流下或いは滴下させることで、フードＡの下端部位に沿って外壁Ｃに発生する汚れを防止し得るように構成したものである。
【００２５】
フードＡは胴部Ｂと共に外壁Ｃに取り付けられたとき、胴部Ｂの排気孔12を覆って排気に伴う空気の流れに支障を与えることなく、且つ雨水等が排気孔12へ浸入することを防止するものである。このフードＡは排気孔12の覆いとなるフード部１と、該フード部１の左右両側及び上部に形成された鍔部２とを有しており、鍔部２の所定位置にネジを挿通して外壁Ｃに固定する取付部３が形成されている。フード部１の左右両側に対応する鍔部２は縦リブ４となるものであって、この縦リブ４はフード部１からの出幅及び厚さは夫々予め設定された寸法を有しており、この縦リブ４に水案内部５が形成されている。
【００２６】
水案内部５は、鍔部２，縦リブ４に沿って流下した水を縦リブ４の前面４ａ側の下方へ案内する機能を有するものであり、このように案内することにより、縦リブ４の側面４ｂに沿って流下した水であっても、該水を外壁Ｃに伝えることなく、確実に前面４ａに案内し得るように構成されている。
【００２７】
胴部ＢはフードＡの鍔部２と相似形の外形を持った面板10を有しており、該面板10の略中央に外壁Ｃを貫通する筒部11が形成され、更に筒部11の内部側が排気孔12として構成されている。前記面板10はフードＡに於ける鍔部２の厚さに対応する厚さ（外壁Ｃの面からの距離）を持って形成されている。従って、胴部Ｂを取り付ける場合、面板10は外壁Ｃの表面から厚さに対応した距離分だけ離隔する。
【００２８】
また面板10に於ける筒部11の下方には該面板10を貫通する穴13が形成されており、この穴13によって面板10の室内側の面（裏面）10ｂと外壁Ｃとによって構成された空間と、面板10のフードＡ側の面（表面）10ａとフードＡとによって構成された空間が接続される。また面板10の裏面10ｂであって穴13の左右方向の両側には水勾配を持ったガイド突起14が形成されている。
【００２９】
尚、ガイド突起14は水受板20を構成する際のガイド或いは基準となるものであり、水受板20を構成する部材の性状によっては不要となるものである。
【００３０】
面板10の下端には水切部となる水切板15が傾斜した状態で突出して形成されている。この水切板15は、面板10の左右方向の寸法に関わらず、フードＡの左右方向の両側に形成された縦リブ４の側面４ｂに至る寸法を有して形成されている。また水切板15は水切面15ａが面板10の表面10ａに接続して形成されており、表面10ａから前方（外壁Ｃから離隔する方向）へかけて所定角度（約45度）で傾斜して形成されている。
【００３１】
上記フードＡと胴部Ｂでは、予め外壁Ｃに形成された貫通孔16に胴部Ｂの筒部11を挿通すると共に位置を調整し、この状態で胴部Ｂの面板10にフード部１を嵌め込むようにして取り付けた後、取付部３にネジを通して該ネジを外壁に螺合させることで、排気フードとして構成すると共に外壁に固定することが可能である。そして、筒部11によって室内側と室外側とを接続して室内の空気を室外に換気することが可能である。尚、貫通孔16としては丸孔或いは角孔が多く利用される。
【００３２】
次に、縦リブ４に形成された水案内部５の構成と、この水案内部５による水の流下、及び水切板15による水の流下或いは滴下について、図３，図４により説明する。図に於いて、水案内部５は、縦リブ４の側面４ｂに形成された上部案内部５ａと、前面４ａに形成された下部案内部５ｂとに分割して形成されている。
【００３３】
上部案内部５ａは、縦リブ４の側面４ｂに於ける外壁Ｃ側の端部４ｃから前面４ａにかけて下降するように傾斜した傾斜面（第１の傾斜面）として形成されており、全体が側面４ｂから僅かに（約１mm）突出して形成され、且つ前面４ａ側では縦リブ４の側面４ｂに窪むように形成されると共に下端は前面４ａよりも突出した位置に配置されている。即ち、上部案内部５ａは、傾斜面の上端は縦リブ４の側面４ｂの端部４ｃに一致すると共に傾斜面の幅寸法は小さく形成され、下端は幅寸法が大きく且つ縦リブ４の前面４ａから突出した位置にあるように形成される。
【００３４】
このため、縦リブ４の側面４ｂには、上部案内部５ａの傾斜面の幅寸法の増加に対応させて凹状にくぼむ窪み面４ｄが形成される。
【００３５】
下部案内部５ｂは縦リブ４の前面４ａに形成された傾斜面（第２の傾斜面）として構成されており、前記傾斜面は上端が縦リブ４の側面４ｂであって上部案内部５ａを構成する傾斜面の下端部位と略一致し、下端が前面４ａのフード部１側であって該フードから所定寸法離隔した位置に形成されている。この下部案内部５ｂの傾斜面は上端から下端まで略等しい幅寸法を持って形成されている。
【００３６】
上記の如く構成された水案内部５では、上部案内部５ａは傾斜面が上端側から下端側にかけて縦リブ４の側面４ｂに食い込むように形成されるため、該上部案内部５の側面４ｂからの突出寸法が略一定であるにも関わらず、傾斜面の幅寸法を下端側を大きくすることが可能である。このため、フード部１の鍔部２の上部から流下する水を合理的に且つ強制的に縦リブ４の側面４ｂに於ける壁側の端部４ｃから前面４ａに向けて案内することが可能である。
【００３７】
また下部案内部５ｂは縦リブ４の前面４ａに外周部である側面４ｂからフード部１に向けて下降する傾斜面として形成されるため、前面４ａに沿って流下する水や上部案内部５ａを経由して流下する水を側面４ｂから前面４ａに於けるフード部１側の隅に案内することが可能である。
【００３８】
上記の如く構成された水案内部５では、縦リブ４に沿って水滴30が流下（図４に実線で示す矢印ａ方向）したとき、この水滴30は上部案内部５ａに衝突して流下方向が変更され、該上部案内部５ａの傾斜面に沿って側面４ｂの壁側の端部４ｃから前面４ａ側に向けて下方に且つ端部４ｃから離隔する方向（図４に一点鎖線で示す矢印ｂ方向）に流下する。そして上部案内部５ａの下端から、縦リブ４の前面４ａに形成した下部案内部５ｂに乗り移り、該下部案内部５ｂに沿って矢印ｂ方向に流下してフード部１に接近する方向に案内され、下部案内部５ｂの下端から縦リブ４の前面４ａを伝って流下する。
【００３９】
縦リブ４の側面４ｂを流下する水滴30が大きい場合、該水滴30の一部が上部案内部５ａの突起部分を乗り越え、更に下方の縦リブ４の側面４ｂに沿って矢印ａ方向に流下することがある。このため、水案内部５を縦リブ４の長手方向に複数形成しておくことが好ましい。
【００４０】
このように、縦リブ４に沿って複数の水案内部５を形成した場合、最上部に設けた水案内部５の上部案内部５ａを乗り越えた水滴31が存在した場合であっても、この水滴31を下方に設けた水案内部５、或いは更に下方に設けた水案内部５によって外壁Ｃから離隔する方向に案内することが可能である。
【００４１】
即ち、最上部に設けた水案内部５を乗り越えた水滴31は、最初の水滴30よりも小さいものであり、該水滴31が下方の水案内部５の上部案内部５ａに衝突したとき、最上部の水案内部５に於いて上部案内部５ａに案内された水量と略等しい水量が案内される。従って、同一の仕様を持った水案内部５を複数設けることで、水量の大きい水滴30が流下した場合であっても、この水滴30を順に分離して最下方の水案内部５で確実に縦リブ４の側面４ｂの壁側の端部４ｃ側から前面４ａに案内することが可能である。
【００４２】
上記の如くして縦リブ４の前面４ａであって下部案内部５ｂの下端部位とフード１との間に流下した水は、前面４ａに沿って流下し、該前面４ａから水切板15の水切面15ａに伝わる。そして水切板15によって外壁Ｃから離隔する方向に案内され、該水切板15の下端から空中に滴下する。
【００４３】
従って、フード部１の汚れに影響を受けた水が縦リブ４に沿って流下しても、この水が外壁Ｃに伝わることがなく、該外壁Ｃを汚すことがない。
【００４４】
縦リブ４に形成する水案内部５の数は、本件発明者等の実験に基づいて決定している。即ち、水案内部５の数は縦リブ４に沿って流下する水量と流下速度に応じて設定することが好ましい。しかし、水量及び流下速度がある限度を越え流下する水がフード部１の汚れの影響を受けて汚れた場合、この水が外壁Ｃに伝わったとしても、水は速やかに外壁Ｃを流下し且つ外壁Ｃを大量の水が流下することとなり汚れることがない。
【００４５】
従って、フード部１の汚れに影響を受けた水が外壁を汚すのは比較的少ない水量の場合であり、この程度の水を縦リブ４の壁側の端部４ｃから前面４ａに確実に案内するためには、胴部Ｂに於ける排気孔12の呼び寸法がφ１５０の場合には４個またはそれ以上の水案内部５を設けることが好ましく、また呼び寸法がφ１００の場合には３個又はそれ以上の水案内部５を設けることが好ましい。
【００４６】
本件発明者等の実験では、縦リブ４に取付部３が形成されている場合、前面４ａを流下する水が該取付部３の影響を受けて円滑に流下しないことがあった。この場合、前記水が外壁Ｃに伝わってしまう虞が生じる。しかし、取付部３の下方に水案内部５を設けることで、水が外壁Ｃに伝わることを防止することが可能であった。
【００４７】
また排気フードは外壁に取り付けられるものであり、意匠的な面を考慮することが必要となる。このため、水案内部５を構成する上部案内部５ａの縦リブ４の側面４ｂからの突出寸法を約１mmとしている。この寸法では、上部案内部５ａを構成する突起が排気フードの美観を損なうことがなく、意匠的に好ましいものである。しかし、意匠性を考慮しない場合、上部案内部５ａの突出寸法を大きくすることが可能となり、この場合、縦リブ４に形成する水案内部５の数を減少させることが可能となる。
【００４８】
即ち、縦リブ４に形成する水案内部５の数は、意匠的な面を考慮するか否かによって大幅に変化することとなる。従って、前述した本実施例に於ける水案内部５の数は単なる例であり、この例に限定するものではないことは当然である。
【００４９】
本実施例に於いて、フードＡは耐候性スチレン樹脂を用いて成形されている。このため、フードＡの縦リブ４に形成した水案内部５は、該縦リブ４と一体成形されている。しかし、必ずしもフードＡは合成樹脂により成形されるものである必要はなく、例えばステンレス鋼板や鋼板或いはアルミニウム板等の金属板をプレス成形したものであっても良い。このように金属板をプレス成形してフードＡを構成した場合であっても、縦リブ４の側面４ｂ及び前面４ａに水案内部５を形成することは可能である。この場合、合成樹脂によって水案内部５を形成した縦リブ４を成形しておき、この縦リブ４を金属板によって成形したフードＡの鍔部２に取り付けて水案内部５を構成することも可能である。
【００５０】
次に、水受板20の構成と、該水受板20によって排気フードを構成するフード部１の鍔部２と外壁Ｃとの隙間から胴部Ｂの面板10の裏面10ｂと外壁Ｃとの間に形成された空間に浸入した水、及び前記空間の内部にある空気が露点に達して発生した水を外壁Ｃから剥離させると共に離隔させて流下させる構造について図５，図６により説明する。
【００５１】
本実施例に係る排気フードは、フードＡ，胴部Ｂと外壁Ｃとの当接部にシーリング材やパッキング材を配置することがなく、これにより、シーリング材やパッキング材がフードＡの外部に露出して美観を損なうことを防止し得るように構成されており、且つシーリング材やパッキング材の施工工程を排除し得るように構成されている。このため、胴部Ｂの筒部11を外壁Ｃの貫通孔16に挿通したとき、両者の間隙には図示しないシーリングが施されて該間隙を通って室内側に水が浸入しないように構成されている。
【００５２】
筒部11の下方であって面板10の裏面10ｂ（室内側の面、外壁Ｃ側の面）には、該面板10の左右方向の全長にわたって水受板20が形成されている。この水受板20は、面板10の略中央に形成された穴13に向けた水勾配を有しており、水受板20に水が流下した場合、この水は水勾配によって穴13に導かれ、該穴13を通って面板10の裏面10ｂから表面10ａに流れる。
【００５３】
従って、排気フードよりも上方の外壁Ｃを伝わって流下し、フード部１の両縦リブ４の側面４ｂの間で且つ面板10の裏面10ｂと外壁Ｃの間に浸入した水は、一部が外壁Ｃに沿って更に流下して水受板20によって外壁Ｃから剥離し、他の一部が外壁Ｃから筒部11に滴下した後該筒部11に沿って下方に流れ、その後水受板20に滴下する。このようにして水受板20に到達した水は、更に、水受板20に沿って流下して穴13を通って裏面10ｂから表面10ａに至り、該表面10ａに沿って水切板15に流下する。
【００５４】
そして水切板15が外壁Ｃからの距離が、上端部では面板10の表面10ａと等しく且つ下端部では大きくなって外壁Ｃから離隔するように傾斜しているため、該水切板15に流下した水は、より外壁Ｃから離隔する方向へ案内されて下端から滴下する。
【００５５】
このため、排気フードと外壁Ｃとの間を流下し、フード部１の汚れ或いは面板10の汚れ、更に外壁Ｃの汚れに影響を受けた水が外壁Ｃ，筒部11沿って流下した場合であっても、この水が外壁Ｃに伝わった状態で排気フードから流下することがなく、外壁Ｃを汚すことがない。
【００５６】
上記水受板20は、面板10を外壁Ｃに取り付けたとき、外壁Ｃに密着して外壁Ｃとの隙間をなくし、これにより、外壁Ｃに伝わった水を該外壁Ｃから剥離させる機能を有する。このため、水受板20は弾力性を有し且つ水の流通を阻止し得る材料であることが好ましい。このような材料としては、独立発泡、或いは半独立発泡させた発泡体があり、本件発明者等の実験では、外壁Ｃの表面に形成された凹凸に追従し得る弾力性を持った半独立発泡させた発泡体を用いた場合に効果的であった。
【００５７】
上記発泡体によって水受板20を構成する場合、この材料を面板10の裏面10ｂ側に形成したガイド突起14（及び裏面10ｂ）に接着することで可能である。
【００５８】
【発明の効果】
以上詳細に説明したように本発明に係る排気フードでは、フードに降りかけた水であって縦リブに沿って流下した水を該縦リブに形成した水案内部によって外壁に近接した裏面側から表面側へ、且つ下方へと流下方向を案内して水切板に伝えることが出来、該水切板の下端から滴下させることが出来る。このため、フードの汚れに影響を受けた水であっても外壁に伝わることがなく、該外壁に汚れが発生することを防止することが出来る。
【００５９】
またフードと外壁の間に浸入した水を水受板によって該外壁から剥離すると共に室外側へ離隔させて水切板に伝えて該水切板から滴下させることが出来る。このため、フード内の汚れの影響を受けた水であっても外壁に伝わることがなく、該外壁に汚れが発生することを防止することが出来る。
【００６０】
上記の如く、フードと外壁の間に水が浸入しても、該水が外壁を汚すことがないため、フードと外壁の間にシーリングを施す必要がなく、施工の簡素化をはかることが出来る。
【図面の簡単な説明】
【図１】排気フードの構成を説明する正面図である。
【図２】排気フードの構成を説明する断面図である。
【図３】縦リブに形成した水案内部の構成を説明する図である。
【図４】水案内部に案内されて流下する水の状態を説明する図である。
【図５】排気フードを壁に取り付けたときの水受板を説明する図である。
【図６】水受板による水の流れを説明する図である。
【図７】従来の排気フードの構成を説明する図である。
【図８】従来の排気フードによって外壁に発生する汚れを説明する図である。
【符号の説明】
Ａ                  フード
Ｂ                  胴部
Ｃ                  外壁
１                  フード部
２                  鍔部
３                  取付部
４                  縦リブ
４ａ                前面
４ｂ                側面
４ｃ                側面に於ける壁側の端部
４ｄ                窪み面
５                  水案内部
５ａ                上部案内部
５ｂ                下部案内部
10                  面板
10ａ                表面
10ｂ                裏面
11                  筒部
12                  排気孔
13                  穴
14                  ガイド突起
15                  水切板
15ａ                水切面
16                  貫通孔
20                  水受板
30，31              水滴
【図１】
0004444418.tif 000002
【図２】
0004444418.tif 000003
【図３】
0004444418.tif 000004
【図４】
0004444418.tif 000005
【図５】
0004444418.tif 000006
【図６】
0004444418.tif 000007
【図７】
0004444418.tif 000008
【図８】
0004444418.tif 000009